(57)【要約】【課題】平坦な温度特性を有する基準電圧発生装置を提供する。【解決手段】電流源として機能するように接続され、定電流を流す第１導電型のディプレション型ＭＯＳトランジスタ５と、ダイオード接続され、ディプレション型ＭＯＳトランジスタ５と同じ埋め込みチャネルでかつ同じ温度特性を有し、定電流に基づいて基準電圧を発生させる第１導電型のディプレション型ＭＯＳトランジスタ６を備える。ディプレション型ＭＯＳトランジスタ５とディプレション型ＭＯＳトランジスタ６の温度特性が等しいので、基準電圧発生装置の出力の温度特性も平坦になる。【選択図】図２
2015087802.tif 000002
【特許請求の範囲】
【請求項１】
定電流を流す第１のＮ型ディプレション型ＭＯＳトランジスタと、
前記第１のＮ型ディプレション型ＭＯＳトランジスタにダイオード接続され、閾値電圧の温度係数が前記第１のＮ型ディプレション型ＭＯＳトランジスタの閾値電圧の温度係数と同じであり、前記定電流に基づいて基準電圧を発生させる第２のＮ型ディプレション型ＭＯＳトランジスタと、
を備えた基準電圧発生装置。
【請求項２】
ダイオード接続される前記第２のＮ型ディプレション型ＭＯＳトランジスタの埋め込みチャネルには、定電流を流す前記第１のＮ型ディプレション型ＭＯＳトランジスタと異なる不純物が拡散されていることを特徴とする請求項１に記載の基準電圧発生装置。
【請求項３】
前記基準電圧が、前記第１のＮ型ディプレション型ＭＯＳトランジスタの閾値電圧と前記第２のＮ型ディプレション型ＭＯＳトランジスタの閾値電圧の差であることを特徴とする請求項１に記載の基準電圧発生装置。
【発明の詳細な説明】
【技術分野】
【０００１】
本発明は、半導体集積回路内において、基準電圧を発生する基準電圧発生装置に関する。
【背景技術】
【０００２】
従来の基準電圧発生装置で用いられる回路について図４を用いて説明する。図４は基準電圧発生装置の回路図である。電流源として機能するように接続されたディプレション型ＮＭＯＳトランジスタ（以下Ｄ型ＮＭＯＳトランジスタ）９は、ダイオード接続されたエンハンスメント型ＮＭＯＳトランジスタ（以下Ｅ型ＮＭＯＳトランジスタ）１０に定電流を流し込む。この定電流により、Ｅ型ＮＭＯＳトランジスタ１０に、それぞれのトランジスタの閾値およびサイズに応じた基準電圧が発生する。
【０００３】
まず始めに、基準電圧発生装置の基本となる構造を図５の模式的断面図を参照に説明する。基準電圧発生装置は、ディプレション型ＮＭＯＳトランジスタ（以下Ｄ型ＮＭＯＳトランジスタ）９およびエンハンスメント型ＮＭＯＳトランジスタ（以下Ｅ型ＮＭＯＳトランジスタ）１０を備える。
【０００４】
電流源として機能するように接続されたＤ型ＮＭＯＳトランジスタ９は、閾値がディプレション領域で動作するように、埋め込みチャネル１２を備えており、ドレイン１７を電源端子として、ゲート電極１３とソース１６は基準電圧発生端子に接続されている。このような接続をすることで、上記のＤ型ＮＭＯＳトランジスタ９は定電流源として機能する。一方で、上記のＤ型ＮＭＯＳトランジスタ９とダイオード接続されたＥ型ＮＭＯＳトランジスタ１０は、閾値がエンハンスメント領域で動作するように表面チャネル１１を備えており、ゲート電極１３とドレイン１５が基準電圧発生端子に接続されており、ソース１４は接地端子に接続されている。すなわち、上記Ｄ型ＮＭＯＳトランジスタ９と上記Ｅ型ＮＭＯＳトランジスタ１０は直列接続されている。したがって、等価回路であらわすと、図４に示す回路図となる。
【０００５】
次に、この基準電圧発生装置の動作について図３を参照に説明する。
上述のＤ型ＮＭＯＳトランジスタ９は、定電流源として動作するため、ここでのトランジスタ特性として、例えば、ソース-基板接地のゲート電圧を一定間隔で印加した場合のドレイン電流は、図３のＤ型ＮＭＯＳトランジスタ特性８のようになり閾値はＢであり、かつ、ゲート電圧が０でドレイン電流を得る。一方で、上述のＥ型ＮＭＯＳトランジスタ１０は、同じくトランジスタ特性として、例えば、ソース-基板接地のゲート電圧を一定間隔で印加した場合のドレイン電流は、図３の閾値はＡのＥ型ＮＭＯＳトランジスタ特性７を得る。ここで、上述のＥ型ＮＭＯＳトランジスタ１０は、上述の定電流源としてのＤ型ＮＭＯＳトランジスタ９とダイオード接続されているため、上述のＤ型ＮＭＯＳトランジスタ特性８のゲート電圧が０の電流を流すためのゲート電圧が必要になり、これが図３の出力電圧Ｃになり、基準電圧発生装置の出力になる。
【０００６】
従来技術では、上述のように、定電流源のＤ型ＮＭＯＳトランジスタは埋め込みチャネルによってディプレション領域での動作をさせ、ダイオード接続されるＥ型トランジスタは表面チャネルによってエンハンスメント領域での動作をさせるように基準電圧発生装置を構成している。ここで、トランジスタ特性においては、特に図３に示されるソース−基板接地のゲート電圧に対するドレイン電流特性が重要となる。これはトランジスタの温度変化によっても変動する電気特性である。基準電圧発生装置を構成しているトランジスタの個々の温度特性が異なることによって、基準電圧発生装置の温度特性を広い温度範囲において平坦にすることは難しい。
【先行技術文献】
【特許文献】
【０００７】
【特許文献１】特公平４−６５５４６号公報
【発明の概要】
【発明が解決しようとする課題】
【０００８】
近年、電子機器の高精度化が進み、この電子機器を制御するＩＣの高精度化が求められている。例として、ＩＣの特にボルテージディテクタあるいはボルテージレギュレータに代表されるパワーマネジメントＩＣにおいては、ＩＣが搭載される携帯機器の小型化および汎用性に伴って、周囲温度環境の変化、特にＩＣ内部において、温度が変化しても基準電圧発生装置が基準電圧を高精度に発生できること、すなわち、基準電圧の温度特性がより平坦になることが求められている。
【０００９】
本発明は、上記要求を鑑みてなされ、より平坦な温度特性を有する基準電圧発生装置を提供することを課題としている。
【課題を解決するための手段】
【００１０】
本発明は、上記課題を解決するために、基準電圧発生装置において、電流源として機能するために存在するＤ型ＮＭＯＳトランジスタと、その定電流を流し込むようにダイオード接続されるトランジスタを同じ温度係数を有するＤ型ＮＭＯＳトランジスタで回路構成することで、より平坦な温度特性を有する基準電圧発生装置とした。
【発明の効果】
【００１１】
本発明は、基準電圧発生装置において、Ｄ型ＮＭＯＳトランジスタと同じ温度係数のＤ型ＮＭＯＳトランジスタを備えることで、基準電圧発生装置の温度特性が改善される。
【図面の簡単な説明】
【００１２】
【図１】本発明の実施例の基準電圧発生装置を構成するトランジスタの模式的特性図である。
【図２】本発明の実施例の基準電圧発生装置の模式的回路図である。
【図３】従来技術を説明する基準電圧発生装置を構成するトランジスタの模式的特性図である。
【図４】従来技術を説明する基準電圧発生装置の模式的回路図である。
【図５】従来技術を説明する基準電圧発生装置の模式的断面図である。
【発明を実施するための形態】
【００１３】
以下、本発明の実施例について、図面を参照して説明する。
最初に、図１（ａ）を参照して本発明の特徴を説明する。図１（ａ）はともにＤ型の第１導電型であるＮＭＯＳトランジスタの温度係数の閾値に対する依存性を、温度特性３を有する第１のＮＭＯＳトランジスタと温度特性４を有する第２のＮＭＯＳトランジスタに関して描いた模式的特性図である。温度係数とは注目している物理量の規定された温度範囲における平均の変化率であり、ここでは、閾値電圧の温度係数となる。ここでＮＭＯＳトランジスタをＤ型とするためにチャネル領域に拡散される不純物の導電型はＮ型であり、埋め込みチャネルとなる。第１のＮＭＯＳトランジスタと第２のＮＭＯＳトランジスタとは、閾値を定めるための不純物の種類および深さ方向の分布であるプロファイル、さらに幾何学的な寸法が異なるので異なる温度係数を有している。
【００１４】
そして、基準電圧発生装置は、例えば、図１（ａ）における温度係数Ｄを示す、閾値電圧Ｂを有する第１のＮＭＯＳトランジスタと、閾値電圧Ａを有する第２のＮＭＯＳトランジスタとの二つのＮＭＯＳトランジスタとから構成される。つまり、同じ温度係数を有する二つのトランジスタで基準電圧発生装置を構成するのである。これは、上記構成からなる基準電圧発生装置の発生する基準電圧は、基本的に二つのトランジスタの閾値の差により決まるからである。さらに、二つのトランジスタの幾何学的寸法を調節することで、二つのトランジスタの閾値の差とすることもできるからである。そのため、温度係数が同じトランジスタで基準電圧発生装置を構成すれば、閾値電圧の差としての基準電圧は、温度が変化してもほぼ一定とすることが可能である。各々のトランジスタが有する閾値電圧Ａおよび閾値電圧Ｂは調整が可能である。例えば、イオン注入法を用いてチャネル領域のプロファイルを調整することが可能であり、この時に用いる不純物は、例えば、上述の第１のＮＭＯＳトランジスタにおいては砒素、第２のＮＭＯＳトランジスタにおいては燐とすることが可能である。
【００１５】
加えて、ここでのトランジスタの電気特性は図１（ｂ）に示すように、閾値電圧Ａを有する第２のＮＭＯＳトランジスタは特性１となり、閾値電圧Ｂを有する第１のＮＭＯＳトランジスタは特性２となる。これらのトランジスタの出力電圧の差を用いて、上述の図３で説明した動作原理により、基準電圧発生装置の出力Ｃを得ることができる。
【００１６】
上記の場合、基準電圧発生装置の模式的回路図は図２のようになり、閾値電圧Ｂを有する第１のＤ型ＮＭＯＳトランジスタ５が定電流源となり、閾値電圧Ａを有する第２のＤ型ＮＭＯＳトランジスタ６がダイオード接続されることで基準電圧発生装置を構成している。
この結果、本発明の特徴である、同じ温度係数を有するＤ型ＮＭＯＳトランジスタで構成された基準電圧発生装置は、平坦な温度特性を有すること可能となる。
【符号の説明】
【００１７】
１  閾値Ａを有する第２のＮＭＯＳトランジスタの特性
２  閾値Ｂを有する第１のＮＭＯＳトランジスタの特性
３  第１のＮＭＯＳトランジスタの温度係数の閾値電圧依存性
４  第２のＮＭＯＳトランジスタの温度係数の閾値電圧依存性
５  閾値Ａを有するＤ型ＮＭＯＳトランジスタ
６  閾値Ｂを有するＤ型ＮＭＯＳトランジスタ
７  閾値ＡのＥ型ＮＭＯＳトランジスタ特性
８  閾値ＢのＤ型ＮＭＯＳトランジスタ特性
９  Ｄ型ＮＭＯＳトランジスタ
１０  Ｅ型ＮＭＯＳトランジスタ
１１  表面チャネル
１２  埋め込みチャネル
１３  ゲート電極
１４、１６  ソース
１５、１７  ドレイン
【図１】
2015087802.tif 000003
【図２】
2015087802.tif 000004
【図３】
2015087802.tif 000005
【図４】
2015087802.tif 000006
【図５】
2015087802.tif 000007